【手続補正書】
【提出日】平成18年3月27日(2006.3.27)
【手続補正１】
【補正対象書類名】明細書
【補正対象項目名】特許請求の範囲
【補正方法】変更
【補正の内容】
【特許請求の範囲】
【請求項１】
患者の医用画像を撮影しカセッテに記録する移動可能な撮影装置と、撮影オーダ情報を管理する情報管理装置と、前記情報管理装置から通信ネットワークを介して撮影オーダ情報を取得する少なくとも一つの制御装置と、前記制御装置の少なくとも一つに接続可能な携帯端末とから構成された医用画像撮影システムであって、
前記制御装置は、
前記情報管理装置から取得された撮影オーダ情報を記憶する記憶手段と、
撮影オーダ情報の管理を行うオーダ管理手段と、
カセッテから医用画像を読み取る読取装置から医用画像及び医用画像の関連情報を取得し、当該取得された医用画像と撮影オーダ情報とを対応付けて画像登録を行う画像登録手段と、
前記オーダ管理手段によるオーダ管理の際には第１の表示モードで操作画面を表示し、前記画像登録手段による画像登録の際には第２の表示モードで操作画面を表示する表示手段と、
前記記憶手段に記憶された撮影オーダ情報のうち、指定された撮影オーダ情報を前記携帯端末に送信するインターフェイスと、を備え、
前記携帯端末は、前記制御装置から送信された撮影オーダ情報を表示する表示手段を備えることを特徴とする医用画像撮影システム。
【請求項２】
前記制御装置の表示手段は、前記第１の表示モードでは帳簿形式で操作画面を表示し、前記第２の表示モードではグラフィック形式で操作画面を表示することを特徴とする請求項１に記載の医用画像撮影システム。
【請求項３】
前記制御装置は、前記オーダ管理手段によるオーダ管理動作と前記画像登録手段による画像登録動作との切り換え指示を入力する入力手段を備えることを特徴とする請求項１又は２に記載の医用画像撮影システム。
【請求項４】
前記読取装置は、カセッテから医用画像とカセッテの識別情報を読み取り、当該読み取られた医用画像にカセッテの識別情報を対応付け、
前記制御装置において、
前記入力手段は、前記記憶された撮影オーダ情報に対応付けるカセッテの識別情報を入力し、
前記記憶手段は、前記入力されたカセッテの識別情報を撮影オーダ情報に対応付けて記憶し、
前記画像登録手段は、前記読取装置から医用画像と医用画像に対応付けられたカセッテの識別情報を取得し、当該医用画像に対応付けられたカセッテの識別情報と、撮影オーダ情報に対応付けられたカセッテの識別情報とに基づいて、取得された医用画像を撮影オーダ情報に対応付けることを特徴とする請求項３に記載の医用画像撮影システム。
【請求項５】
前記制御装置は、前記撮影オーダ情報に対応付けられた医用画像及び／又はその医用画像の関連情報を前記情報管理装置に送信することを特徴とする請求項４に記載の医用画像撮影システム。
【請求項６】
前記読取装置は、カセッテから医用画像とカセッテの識別情報を読み取り、当該読み取られた医用画像にカセッテの識別情報を対応付け、
前記携帯端末は、前記制御装置から送信された撮影オーダ情報と、撮影に用いられるカセッテの識別情報とを対応付けて、当該撮影オーダ情報に対応付けられたカセッテの識別情報を前記制御装置に送信し、
前記制御装置において、
前記画像登録手段は、前記読取装置から医用画像と医用画像に対応付けられたカセッテの識別情報を取得し、当該医用画像に対応付けられたカセッテの識別情報と、前記携帯端末から送信された撮影オーダ情報に対応付けられたカセッテの識別情報とに基づいて、取得された医用画像を撮影オーダ情報に対応付けることを特徴とする請求項１〜５の何れか一項に記載の医用画像撮影システム。
【請求項７】
前記制御装置は、前記撮影オーダ情報に対応付けられた医用画像及び／又は医用画像の関連情報を前記情報管理装置に送信することを特徴とする請求項６に記載の医用画像撮影システム。
【請求項８】
前記制御装置において、
前記オーダ管理手段は、撮影オーダ情報の変更又は追加を行い、当該変更又は追加された撮影オーダ情報の更新情報を前記情報管理装置に送信することを特徴とする請求項１〜７の何れか一項に記載の医用画像撮影システム。
【請求項９】
患者の医用画像を撮影しカセッテに記録する移動可能な撮影装置と、撮影オーダ情報を管理する情報管理装置と、前記情報管理装置から通信ネットワークを介して撮影オーダ情報を取得する少なくとも一つの制御装置と、前記制御装置の少なくとも一つに接続可能な携帯端末とから構成された医用画像撮影システムにおける撮影オーダ情報の管理方法であって、
前記制御装置において、
前記情報管理装置から取得された撮影オーダ情報を記憶手段に記憶する工程と、
撮影オーダ情報の管理を行うオーダ管理工程と、
カセッテから医用画像を読み取る読取装置から医用画像及び医用画像の関連情報を取得し、当該取得された医用画像を撮影オーダ情報と対応付けて画像登録する画像登録工程と、
オーダ管理の際には第１の表示モードで操作画面を表示し、画像登録の際には第２の表示モードで操作画面を表示手段に表示する表示工程と、
前記制御装置の少なくとも一つに接続可能な携帯端末に、前記記憶手段に記憶された撮影オーダ情報のうち、指定された撮影オーダ情報を送信する工程と、
前記携帯端末から送信された、撮影オーダ情報に対応付けられたカセッテの識別情報を取得する工程と、
を含むことを特徴とする撮影オーダ情報の管理方法。
【手続補正２】
【補正対象書類名】明細書
【補正対象項目名】００１４
【補正方法】変更
【補正の内容】
【００１４】
【課題を解決するための手段】
請求項１に記載の発明は、
患者の医用画像を撮影しカセッテに記録する移動可能な撮影装置と、撮影オーダ情報を管理する情報管理装置と、前記情報管理装置から通信ネットワークを介して撮影オーダ情報を取得する少なくとも一つの制御装置と、前記制御装置の少なくとも一つに接続可能な携帯端末とから構成された医用画像撮影システムであって、
前記制御装置は、
前記情報管理装置から取得された撮影オーダ情報を記憶する記憶手段と、
撮影オーダ情報の管理を行うオーダ管理手段と、
カセッテから医用画像を読み取る読取装置から医用画像及び医用画像の関連情報を取得し、当該取得された医用画像と撮影オーダ情報とを対応付けて画像登録を行う画像登録手段と、
前記オーダ管理手段によるオーダ管理の際には第１の表示モードで操作画面を表示し、前記画像登録手段による画像登録の際には第２の表示モードで操作画面を表示する表示手段と、
前記記憶手段に記憶された撮影オーダ情報のうち、指定された撮影オーダ情報を前記携帯端末に送信するインターフェイスと、を備え、
前記携帯端末は、前記制御装置から送信された撮影オーダ情報を表示する表示手段を備えることを特徴としている。
【手続補正３】
【補正対象書類名】明細書
【補正対象項目名】００１５
【補正方法】変更
【補正の内容】
【００１５】
請求項９に記載の発明は、
患者の医用画像を撮影しカセッテに記録する移動可能な撮影装置と、撮影オーダ情報を管理する情報管理装置と、前記情報管理装置から通信ネットワークを介して撮影オーダ情報を取得する少なくとも一つの制御装置と、前記制御装置の少なくとも一つに接続可能な携帯端末とから構成された医用画像撮影システムにおける撮影オーダ情報の管理方法であって、
前記制御装置において、
前記情報管理装置から取得された撮影オーダ情報を記憶手段に記憶する工程と、
撮影オーダ情報の管理を行うオーダ管理工程と、
カセッテから医用画像を読み取る読取装置から医用画像及び医用画像の関連情報を取得し、当該取得された医用画像を撮影オーダ情報と対応付けて画像登録する画像登録工程と、
オーダ管理の際には第１の表示モードで操作画面を表示し、画像登録の際には第２の表示モードで操作画面を表示手段に表示する表示工程と、
前記制御装置の少なくとも一つに接続可能な携帯端末に、前記記憶手段に記憶された撮影オーダ情報のうち、指定された撮影オーダ情報を送信する工程と、
前記携帯端末から送信された、撮影オーダ情報に対応付けられたカセッテの識別情報を取得する工程と、
を含むことを特徴としている。
【手続補正４】
【補正対象書類名】明細書
【補正対象項目名】００１６
【補正方法】変更
【補正の内容】
【００１６】
請求項１、９に記載の発明によれば、撮影オーダ情報が携帯端末に表示されるので、患者のベッドサイド等の回診先で撮影を行う場合であっても、撮影技師は携帯端末により容易に撮影対象の患者や撮影条件を確認することができる。従って、回診先における撮影を効率良くかつ正確に行うことができる。また、制御装置は医用画像の読取制御機能に加えて撮影オーダ情報の管理機能を備えるので、ＲＩＳ端末を別途設置する必要がなく、撮影に変更が生じた場合でも適宜対応することができる。さらに、オーダ管理機能により動作中は第１の表示モードで、読取制御機能により動作中は第２の表示モードで操作画面が表示されるので、撮影技師は制御装置が現在どの機能により動作中かを操作画面から容易に判別することができる。
また、撮影オーダ情報が携帯端末に表示されるので、患者のベッドサイド等の回診先で撮影を行う場合であっても、撮影技師は携帯端末により容易に撮影対象の患者や撮影条件を確認することができる。従って、回診先における撮影を効率良くかつ正確に行うことができる。
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】変更
【補正の内容】
【００１９】
請求項２に記載の発明によれば、第１の表示モードは帳簿形式であり、第２の表示モードはグラフィック形式であるので、オーダ管理の動作時と画像登録の動作時とで画面構成が全く異なり、どちらの機能で動作中かの判別が容易となる。
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】変更
【補正の内容】
【００２２】
請求項３に記載の発明によれば、目的に応じて適宜、オーダ管理動作と画像登録動作との切り換えを指示することができ、操作性が向上する。
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】変更
【補正の内容】
【００２５】
請求項４に記載の発明によれば、制御装置においてカセッテと撮影オーダ情報との対応付けが行われ、さらに撮影オーダ情報と医用画像との対応付けが行われるので、確実に医用画像と撮影オーダ情報を対応付けることができ、医用画像を正確に管理することができる。また、撮影技師が対応付けを行う作業を省略することができ、撮影技師の作業負担を軽減させることができる。
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】変更
【補正の内容】
【００２８】
請求項５に記載の発明によれば、制御装置において撮影オーダ情報に対応付けられた医用画像及び／又は関連情報が情報管理装置に送信されるので、情報管理装置では医用画像のデータベース化が容易となるとともに、医用画像を正確に管理することができる。
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】削除
【補正の内容】
【手続補正１５】
【補正対象書類名】明細書
【補正対象項目名】００３１
【補正方法】削除
【補正の内容】
【手続補正１６】
【補正対象書類名】明細書
【補正対象項目名】００３２
【補正方法】変更
【補正の内容】
【００３２】
請求項６に記載の発明は、請求項１〜５の何れか一項に記載の医用画像撮影システムにおいて、
前記読取装置は、カセッテから医用画像とカセッテの識別情報を読み取り、当該読み取られた医用画像にカセッテの識別情報を対応付け、
前記携帯端末は、前記制御装置から送信された撮影オーダ情報と、撮影に用いられるカセッテの識別情報とを対応付けて、当該撮影オーダ情報に対応付けられたカセッテの識別情報を前記制御装置に送信し、
前記制御装置において、
前記画像登録手段は、前記読取装置から医用画像と医用画像に対応付けられたカセッテの識別情報を取得し、当該医用画像に対応付けられたカセッテの識別情報と、前記携帯端末から送信された撮影オーダ情報に対応付けられたカセッテの識別情報とに基づいて、取得された医用画像を撮影オーダ情報に対応付けることを特徴としている。
【手続補正１７】
【補正対象書類名】明細書
【補正対象項目名】００３３
【補正方法】削除
【補正の内容】
【手続補正１８】
【補正対象書類名】明細書
【補正対象項目名】００３４
【補正方法】変更
【補正の内容】
【００３４】
請求項６に記載の発明によれば、携帯端末においてカセッテと撮影オーダ情報との対応付けが行われ、制御装置において撮影オーダ情報と撮影された医用画像との対応付けが行われるので、確実に医用画像と撮影オーダ情報を対応付けることができ、医用画像を正確に管理することができる。また、撮影技師が対応付けを行う作業を省略することができ、撮影技師の作業負担を軽減させることができる。
【手続補正１９】
【補正対象書類名】明細書
【補正対象項目名】００３５
【補正方法】変更
【補正の内容】
【００３５】
請求項７に記載の発明は、請求項６に記載の医用画像撮影システムにおいて、
前記制御装置は、前記撮影オーダ情報に対応付けられた医用画像及び／又は医用画像の関連情報を前記情報管理装置に送信することを特徴としている。
【手続補正２０】
【補正対象書類名】明細書
【補正対象項目名】００３６
【補正方法】削除
【補正の内容】
【手続補正２１】
【補正対象書類名】明細書
【補正対象項目名】００３７
【補正方法】変更
【補正の内容】
【００３７】
請求項７に記載の発明によれば、制御装置において撮影オーダ情報に対応付けられた医用画像及び／又は関連情報が情報管理装置に送信されるので、情報管理装置では医用画像のデータベース化が容易となるとともに、医用画像を正確に管理することができる。
【手続補正２２】
【補正対象書類名】明細書
【補正対象項目名】００３８
【補正方法】変更
【補正の内容】
【００３８】
請求項８に記載の発明は、請求項１〜７の何れか一項に記載の医用画像撮影システムにおいて、
前記制御装置において、
前記オーダ管理手段は、撮影オーダ情報の変更又は追加を行い、当該変更又は追加された撮影オーダ情報の更新情報を前記情報管理装置に送信することを特徴としている。
【手続補正２３】
【補正対象書類名】明細書
【補正対象項目名】００３９
【補正方法】削除
【補正の内容】
【手続補正２４】
【補正対象書類名】明細書
【補正対象項目名】００４０
【補正方法】変更
【補正の内容】
【００４０】
請求項８に記載の発明によれば、制御装置において撮影オーダ情報の追加又は変更を行うことができ、当該制御装置により更新された撮影オーダ情報の更新情報が情報管理装置に送信されるので、情報管理装置において統括的に管理されている撮影オーダ情報を容易に更新することができる。
【手続補正２５】
【補正対象書類名】明細書
【補正対象項目名】０１２２
【補正方法】変更
【補正の内容】
【０１２２】
【発明の効果】
請求項１、９に記載の発明によれば、制御装置は医用画像を取得し撮影オーダ情報と対応付ける画像登録機能に加えて撮影オーダ情報の管理機能を実現することができ、ＲＩＳ端末を別途設置する必要がなく、撮影に変更が生じた場合でも適宜対応することができる。さらに、オーダ管理動作中は第１の表示モードで、画像登録動作中は第２の表示モードで操作画面が表示されるので、撮影技師は制御装置が現在どの機能により動作中かを操作画面から容易に判別することができる。従って、簡素なシステム構成で効率良く撮影を行うことができる。
また、撮影オーダ情報が携帯端末に表示されるので、患者のベッドサイド等の回診先で撮影を行う場合であっても、撮影技師は携帯端末により容易に撮影対象の患者や撮影条件を確認することができる。従って、回診先における撮影を効率良くかつ正確に行うことができる。
【手続補正２６】
【補正対象書類名】明細書
【補正対象項目名】０１２３
【補正方法】変更
【補正の内容】
【０１２３】
請求項２に記載の発明によれば、第１の表示モードは帳簿形式であり、第２の表示モードはグラフィック形式であるので、オーダ管理の動作時と画像登録の動作時とで画面構成が全く異なり、どちらの機能で動作中かの判別が容易となる。
【手続補正２７】
【補正対象書類名】明細書
【補正対象項目名】０１２４
【補正方法】変更
【補正の内容】
【０１２４】
請求項３に記載の発明によれば、目的に応じて適宜、オーダ管理動作と画像登録動作との切り換えを指示することができ、操作性が向上する。
【手続補正２８】
【補正対象書類名】明細書
【補正対象項目名】０１２５
【補正方法】変更
【補正の内容】
【０１２５】
請求項４に記載の発明によれば、制御装置においてカセッテと撮影オーダ情報との対応付けが行われ、さらに撮影オーダ情報と医用画像との対応付けが行われるので、確実に医用画像と撮影オーダ情報を対応付けることができ、医用画像を正確に管理することができる。また、撮影技師が対応付けを行う作業を省略することができ、撮影技師の作業負担を軽減させることができる。
【手続補正２９】
【補正対象書類名】明細書
【補正対象項目名】０１２６
【補正方法】変更
【補正の内容】
【０１２６】
請求項５に記載の発明によれば、制御装置において撮影オーダ情報に対応付けられた医用画像及び／又は関連情報が情報管理装置に送信されるので、情報管理装置では医用画像のデータベース化が容易となるとともに、医用画像を正確に管理することができる。
【手続補正３０】
【補正対象書類名】明細書
【補正対象項目名】０１２７
【補正方法】削除
【補正の内容】
【手続補正３１】
【補正対象書類名】明細書
【補正対象項目名】０１２８
【補正方法】変更
【補正の内容】
【０１２８】
請求項６に記載の発明によれば、携帯端末においてカセッテと撮影オーダ情報との対応付けが行われ、制御装置において撮影オーダ情報と撮影された医用画像との対応付けが行われるので、確実に医用画像と撮影オーダ情報を対応付けることができ、医用画像を正確に管理することができる。また、撮影技師が対応付けを行う作業を省略することができ、撮影技師の作業負担を軽減させることができる。
【手続補正３２】
【補正対象書類名】明細書
【補正対象項目名】０１２９
【補正方法】変更
【補正の内容】
【０１２９】
請求項７に記載の発明によれば、制御装置において撮影オーダ情報に対応付けられた医用画像及び／又は関連情報が情報管理装置に送信されるので、情報管理装置では医用画像のデータベース化が容易となるとともに、医用画像を正確に管理することができる。
【手続補正３３】
【補正対象書類名】明細書
【補正対象項目名】０１３０
【補正方法】変更
【補正の内容】
【０１３０】
請求項８に記載の発明によれば、制御装置において撮影オーダ情報の追加又は変更を行うことができ、当該制御装置により更新された撮影オーダ情報の更新情報が情報管理装置に送信されるので、情報管理装置において統括的に管理されている撮影オーダ情報を容易に更新することができる。